(57)【要約】【課題】プラグを接続していない状態でトラッキング検出用電極を外部から目視できない位置に配置したコンセントを提供する。【解決手段】コンセントＡは、栓刃が挿抜される栓刃挿入口４ａを閉塞する閉位置と開放する開位置との間で移動自在に配置され、扉付勢ばね１０によって閉方向に付勢され、栓刃で押されることにより扉付勢ばね１０のばね力に抗して開方向へ移動する扉部材９と、扉部材９の開閉動作に応じて駆動され、プラグ接続時に検出電極用挿通孔５から外側に突出してプラグと当接する突出位置と非接続時に検出電極用挿通孔５の内側に後退する退避位置との間で進退自在に配置された検出電極１１と、栓刃挿入口４ａに挿入される栓刃と検出電極１１との間に流れる電流からトラッキングを検出するトラッキング検出手段と、トラッキング検出手段がトラッキングを検出すると刃受部材と電源との間を電気的に遮断する遮断手段とを備える。【選択図】図１
2008159478.tif 000002
【特許請求の範囲】
【請求項１】
プラグの栓刃がそれぞれ挿入される２個で１組の栓刃挿入口が前面に開口する器具本体と、器具本体の内部にそれぞれ収納され、各栓刃挿入口を通して挿入される栓刃に電気的に接続されるとともに電源に接続される複数の刃受部材と、各栓刃挿入口を閉塞する閉位置と開放する開位置との間で移動自在に配置され、扉付勢ばねによって閉方向に付勢されるとともに、栓刃で押されることにより扉付勢ばねのばね力に抗して開方向へ移動する扉部材と、器具本体の前面において組をなす２個の栓刃挿入口の間に開口する検出電極用挿通孔と、扉部材の開閉動作に応じて駆動され、プラグの接続時において検出電極用挿通孔から外側に突出してプラグと当接する突出位置と非接続時において検出電極用挿通孔の内側に後退する退避位置との間で進退自在に配置された検出電極と、栓刃挿入口に挿入される栓刃と検出電極との間に流れる電流からトラッキングを検出するトラッキング検出手段と、トラッキング検出手段がトラッキングを検出すると刃受部材と電源との間を電気的に遮断する遮断手段とを備えて成ることを特徴とするコンセント。
【請求項２】
一端側が器具本体の底部側に固定されるとともに、他端側に検出電極が接続されたコイルばねを備え、扉部材が閉位置に移動した状態では扉部材に検出電極が押圧されてコイルばねが湾曲するように撓むことで検出電極が内側に後退するとともに、扉部材が開位置に移動した状態ではコイルばねが湾曲状態から直線状に戻ることで検出電極が外側に突出することを特徴とする請求項１記載のコンセント。
【請求項３】
器具本体の底部にコイルばねの一端側が圧入固定される柱状の圧入突起を設けるとともに、圧入突起の周面に圧入代となる突出部を設け、当該突出部の圧入方向手前側にコイルばねの挿入を案内するための傾斜面を設けたことを特徴とする請求項２記載のコンセント。
【請求項４】
一端側が扉部材に固定されるとともに、他端側に検出電極が接続されたコイルばねを備え、扉部材が閉位置に移動した状態では検出電極用挿通孔の孔縁に検出電極が当接してコイルばねが湾曲するように撓むことで検出電極が内側に後退するとともに、扉部材が開位置に移動した状態ではコイルばねが湾曲状態から直線状に戻ることで検出電極が外側に突出することを特徴とする請求項１記載のコンセント。
【請求項５】
扉部材に、コイルばねの一端側が圧入固定される柱状の圧入突起を設けたことを特徴とする請求項４記載のコンセント。
【請求項６】
扉部材が閉位置に移動した状態で、検出電極用挿通孔の孔縁に当接して倒された検出電極を逃がす逃がし溝を扉部材に設けたことを特徴とする請求項４又は５記載のコンセント。
【請求項７】
扉部材の閉方向への移動に伴って接近してきた検出電極と当接して、検出電極を倒すための傾斜面を検出電極用挿通孔の孔縁に設けたことを特徴とする請求項４乃至６の何れか１項に記載のコンセント。
【請求項８】
器具本体は前面側のカバーと後面側のボディとで構成され、カバーの内側面に、扉付勢ばねの一端側を受けるばね受け部と、扉部材と当接して扉部材の閉方向への移動を規制する扉固定部とを設けたことを特徴とする請求項１乃至７の何れか１項に記載のコンセント。
【請求項９】
器具本体の内側面において検出電極挿通孔の孔縁に、検出電極が進退する方向と交差する方向において検出電極が倒れるのを防止するガイド壁を設けたこと特徴とする請求項１乃至８の何れか１項に記載のコンセント。
【請求項１０】
閉位置にある扉部材が一方の栓刃挿入口から挿入された栓刃で押圧され、他方の栓刃挿入口に臨む扉部材の部位が器具本体の前壁裏側に接近するように傾斜した状態で、器具本体の前壁裏側に接近した扉部材の部位と係止して扉部材の開方向への移動を規制する移動規制突起を器具本体の前壁裏側に設けたことを特徴とする請求項１乃至９の何れか１項に記載のコンセント。
【発明の詳細な説明】
【技術分野】
【０００１】
本発明は、トラッキング現象の発生を検知する機能を備えたコンセントに関するものである。
【背景技術】
【０００２】
この種のコンセントとしては、一対の栓刃挿入口の間に接地極を配置しておき、トラッキング現象によりプラグの栓刃の間に炭化部分が発生した場合には、この炭化部分に接地極を接触させることで漏電現象を発生させ、漏電ブレーカを作動させて、トラッキング現象を感知するようにしたものが従来提案されていた（例えば、特許文献１参照）。
【０００３】
また、他のコンセントとして、一対の栓刃挿入口の間にトラッキング検出用電極を設け、トラッキング現象により栓刃挿入口に挿入された栓刃とトラッキング検出用電極との間に流れる電流を検出することでトラッキング現象を検知し、通電を遮断するようにしたものも従来提案されていた（例えば特許文献２参照）。
【特許文献１】特開平９−２１３４２５号公報（段落［０００６］、及び、第１図、第１２図）
【特許文献２】特許第３５１３８４７号公報（段落［００１５］−［００１８］、及び、第１図）
【発明の開示】
【発明が解決しようとする課題】
【０００４】
上記特許文献１、２に示されるコンセントでは、プラグを接続していない場合に、接地極やトラッキング検出用電極が器具本体の前面に露出しているため、人体や物が接触する可能性がある。接地極やトラッキング検出用電極は接地してあれば感電の虞はないのであるが、接地極や検出用電極が視認可能な場所に配置されるため、使用者に不安を与える可能性があり、また接地極やトラッキング検出用電極が破損したり、汚れが付着する可能性もあった。
【０００５】
本発明は上記問題点に鑑みて為されたものであり、その目的とするところは、プラグを接続していない状態でトラッキング検出用電極を外部から目視できない位置に配置したコンセントを提供することにある。
【課題を解決するための手段】
【０００６】
上記目的を達成するために、請求項１の発明は、プラグの栓刃がそれぞれ挿入される２個で１組の栓刃挿入口が前面に開口する器具本体と、器具本体の内部にそれぞれ収納され、各栓刃挿入口を通して挿入される栓刃に電気的に接続されるとともに電源に接続される複数の刃受部材と、各栓刃挿入口を閉塞する閉位置と開放する開位置との間で移動自在に配置され、扉付勢ばねによって閉方向に付勢されるとともに、栓刃で押されることにより扉付勢ばねのばね力に抗して開方向へ移動する扉部材と、器具本体の前面において組をなす２個の栓刃挿入口の間に開口する検出電極用挿通孔と、扉部材の開閉動作に応じて駆動され、プラグの接続時において検出電極用挿通孔から外側に突出してプラグと当接する突出位置と非接続時において検出電極用挿通孔の内側に後退する退避位置との間で進退自在に配置された検出電極と、栓刃挿入口に挿入される栓刃と検出電極との間に流れる電流からトラッキングを検出するトラッキング検出手段と、トラッキング検出手段がトラッキングを検出すると刃受部材と電源との間を電気的に遮断する遮断手段とを備えて成ることを特徴とする。
【０００７】
請求項２の発明は、請求項１の発明において、一端側が器具本体の底部側に固定されるとともに、他端側に検出電極が接続されたコイルばねを備え、扉部材が閉位置に移動した状態では扉部材に検出電極が押圧されてコイルばねが湾曲するように撓むことで検出電極が内側に後退するとともに、扉部材が開位置に移動した状態ではコイルばねが湾曲状態から直線状に戻ることで検出電極が外側に突出することを特徴とする。
【０００８】
請求項３の発明は、請求項２の発明において、器具本体の底部にコイルばねの一端側が圧入固定される柱状の圧入突起を設けるとともに、圧入突起の周面に圧入代となる突出部を設け、当該突出部の圧入方向手前側にコイルばねの挿入を案内するための傾斜面を設けたことを特徴とする。
【０００９】
請求項４の発明は、請求項１の発明において、一端側が扉部材に固定されるとともに、他端側に検出電極が接続されたコイルばねを備え、扉部材が閉位置に移動した状態では検出電極用挿通孔の孔縁に検出電極が当接してコイルばねが湾曲するように撓むことで検出電極が内側に後退するとともに、扉部材が開位置に移動した状態ではコイルばねが湾曲状態から直線状に戻ることで検出電極が外側に突出することを特徴とする。
【００１０】
請求項５の発明は、請求項４の発明において、扉部材に、コイルばねの一端側が圧入固定される柱状の圧入突起を設けたことを特徴とする。
【００１１】
請求項６の発明は、請求項４又は５の発明において、扉部材が閉位置に移動した状態で、検出電極用挿通孔の孔縁に当接して倒された検出電極を逃がす逃がし溝を扉部材に設けたことを特徴とする。
【００１２】
請求項７の発明は、請求項４乃至６の何れか１つの発明において、扉部材の閉方向への移動に伴って接近してきた検出電極と当接して、検出電極を倒すための傾斜面を検出電極用挿通孔の孔縁に設けたことを特徴とする。
【００１３】
請求項８の発明は、請求項１乃至７の何れか１つの発明において、器具本体は前面側のカバーと後面側のボディとで構成され、カバーの内側面に、扉付勢ばねの一端側を受けるばね受け部と、扉部材と当接して扉部材の閉方向への移動を規制する扉固定部とを設けたことを特徴とする。
【００１４】
請求項９の発明は、請求項１乃至８の何れか１つの発明において、器具本体の内側面において検出電極挿通孔の孔縁に、検出電極が進退する方向と交差する方向において検出電極が倒れるのを防止するガイド壁を設けたこと特徴とする。
【００１５】
請求項１０の発明は、請求項１乃至９の何れか１つの発明において、閉位置にある扉部材が一方の栓刃挿入口から挿入された栓刃で押圧され、他方の栓刃挿入口に臨む扉部材の部位が器具本体の前壁裏側に接近するように傾斜した状態で、器具本体の前壁裏側に接近した扉部材の部位と係止して扉部材の開方向への移動を規制する移動規制突起を器具本体の前壁裏側に設けたことを特徴とする。
【発明の効果】
【００１６】
請求項１の発明によれば、プラグの非接続時に扉部材が閉位置に移動している状態では、扉部材によって検出電極が検出電極用挿通孔の内側に後退する位置に移動させられるので、検出電極に人体が接触することはなく、使用者に安心感を与えることができ、また検出電極が汚れたり破損するのを防止できるという効果がある。さらに、プラグの接続時に扉部材が開位置に移動すると、検出電極が検出電極用挿通孔から外側に突出する位置に移動するので、検出電極をプラグに当接させることで、トラッキング検出手段によりトラッキング現象を確実に検出して、遮断手段により刃受部材への給電を確実に遮断させることができるという効果がある。
【００１７】
請求項２の発明によれば、一端側が器具本体の底部側に固定されるとともに、他端側に検出電極が固定されたコイルばねを扉部材の閉方向への移動に応じて湾曲させることで、検出電極を検出電極用挿通孔の内側に後退させるとともに、扉部材の開方向への移動に応じてコイルばねを湾曲状態から直線状に戻すことで検出電極を検出電極用挿通孔から外側に突出させているので、検出電極を前後方向において進退させる場合に比べて、器具本体の前後方向の寸法を小さくできるという効果がある。
【００１８】
請求項３の発明によれば、圧入突起の周面に設けた突出部には圧入方向の手前側に傾斜面を設けており、コイルばねを圧入する際にコイルばねが傾斜面によって案内されるので、圧入作業を容易に行うことができ、圧入完了時には突出部が圧入代となるので、コイルばねを圧入突起に強固に固定できるという効果がある。
【００１９】
請求項４の発明によれば、コイルばねの一端側を扉部材に固定するとともに、他端側に検出電極を固定しているので、扉部材の開閉移動に応じて、扉部材に固定されたコイルばねの一端側と検出電極用挿通孔との相対的な位置関係を変化させることができる。したがって、扉部材の閉方向への移動に応じてコイルばねを湾曲させることで検出電極を検出電極用挿通孔の内側に後退させるとともに、扉部材の開方向への移動に応じてコイルばねを湾曲状態から直線状に戻すことで検出電極を検出電極用挿通孔から外側に突出させることができ、検出電極を前後方向において進退させる場合に比べて、器具本体の前後方向の寸法を小さくできるという効果がある。
【００２０】
請求項５の発明によれば、コイルばねの一端側を圧入突起に圧入することで扉部材に固定しているので、コイルばねを扉部材に固定する作業を簡単に行うことができる。
【００２１】
請求項６の発明によれば、コイルばねの湾曲に応じて倒された検出電極が逃がし溝に入り込むことで、検出電極が扉部材と干渉するのを防止できるという効果がある。
【００２２】
請求項７の発明によれば、検出電極用挿通孔の孔縁に設けた傾斜面に検出電極を当接させることで、検出電極をスムーズに倒すことができるという効果がある。
【００２３】
請求項８の発明によれば、ばね受け部と扉固定部との間に扉付勢ばねを介して扉部材を配置すると、扉付勢ばねの付勢力によって扉部材を扉固定部に押し付けることで、扉部材と扉付勢ばねとをカバーに仮固定することができ、器具本体の組立作業性を向上させることができるという効果がある。
【００２４】
請求項９の発明によれば、検出電極が検出電極用挿通孔の内側に後退した状態でも、検出電極がガイド壁に当接することで、検出電極が検出電極用挿通孔から外れるのを防止することができ、検出電極の進退動作が安定するという効果がある。
【００２５】
請求項１０の発明によれば、組をなす２個の栓刃挿入口の両方に栓刃が挿入されず、片側のみに挿入された場合は、扉部材が傾いて移動規制突起と係止することで、扉部材が開方向に移動するのを防止することができるから、いたずらなどで扉部材が開けられるの防止できるという効果がある。
【発明を実施するための最良の形態】
【００２６】
以下に本発明の実施の形態を図面に基づいて説明する。
【００２７】
（実施形態１）
本発明の実施形態１を図１〜図１１に基づいて説明する。尚、以下の説明では特に断りがないかぎり、図３中の矢印ａ，ｂを上下の方向、矢印ｃ，ｄを左右の方向、矢印ｅ，ｆを前後の方向と規定して説明を行う。
【００２８】
コンセントＡの器具本体１は、図１（ａ）及び図３に示すように、前面が開口した略箱状の後面側のボディ２と、後面が開口した略箱状の前面側のカバー３とを従来周知の結合手段を用いて結合することにより構成される。なお器具本体１は、埋込型配線器具を造営面に取り付けるための規格化された取付枠（図示せず）に取着可能な形状および大きさに形成されるとともに、取付枠に取着するための従来周知の器具取付手段（図示せず）が設けられており、本実施形態では例えば単位寸法（１連の取付枠に３個まで取着可能な大きさ）の埋込型配線器具を短幅方向（上下方向）に３個並べた大きさ（３個モジュール寸法）に形成されている。
【００２９】
カバー３の前面には、図３に示すようにプラグの電圧極の平行栓刃（図示せず）がそれぞれ挿入される２個１組の栓刃挿入口４ａ，４ａが上下方向の略中央に左右に並べて開口しており、栓刃挿入口４ａ，４ａの下側には接地極の丸ピン（図示せず）が挿入される挿入口４ｂが開口している。またカバー３の前面には、栓刃挿入口４ａ，４ａの中間位置に、上下方向に延びるスリット状の検出電極用挿通孔５が開口している。
【００３０】
ボディ２の内部は、図６に示すように仕切り壁６によって複数の収納室に仕切られており、図６及び図７に示すように栓刃挿入口４ａ，４ａに対応する位置には電圧極の栓刃に電気的に接続される刃受部材７ａ，７ａをそれぞれ収納する２つの収納室８ａ，８ａが設けられ、栓刃挿入口４ｂに対応する位置には接地極の栓刃に電気的に接続される刃受部材７ｂを収納する収納室８ｂが設けられている。
【００３１】
ところで、図１１はコンセントＡの内部回路図を示しており、コンセントＡは電源線がそれぞれ接続される接続端子Ｔａ，Ｔｂと、接地線が接続される接続端子Ｔｃとを備え、刃受部材７ａ，７ａが接続端子Ｔａ，Ｔｂに接続される電源線を介して外部の電源ＡＣに接続されるとともに、刃受部材７ｂが接続端子Ｔｃに接続される接地線を介して接地されている。またコンセントＡは、栓刃挿入口４ａに挿入される栓刃と後述する検出電極１１との間に流れる電流を検出することによりトラッキングを検出する漏洩検出部１２（トラッキング検出手段）と、接続端子Ｔａ，Ｔｂと刃受部材７ａ，７ａとの間の電路にそれぞれ設けられ、漏洩検出部１２がトラッキングを検出すると、漏洩検出部１２により強制的に開極させられる接点１３，１３（遮断手段）と、刃受部材７ａ，７ａから電源が供給されて内部回路の動作電源を生成する電源回路１４とを備えている。
【００３２】
ここで、ボディ２の背面には電源線および接地線をそれぞれ挿入するための電線挿入口（図示せず）が開口するとともに、ボディ２内には電線挿入口を通して挿入される電源線および接地線にそれぞれ電気的に接続される速結端子構造の接続端子（図示せず）が収納され、これらの接続端子から上述の接続端子Ｔａ，Ｔｂ，Ｔｃが構成されている。
【００３３】
また、器具本体１の内部には、２個の栓刃挿入口４ａ，４ａを閉塞する閉位置と開放する開位置との間で移動自在に配置される扉部材９が収納されている。扉部材９は図８（ａ）に示すように左右に張り出す翼片９ａ，９ａと、翼片９ａ，９ａの上部間を連結する連結部９ｂとを備えたもので、ボディ２の仕切り壁６上にスライド自在に載置される。左右の翼片９ａ，９ａの下側面（図８（ａ）の左側面）には、それぞれ、コイルばねからなる扉付勢ばね１０の一端側が圧入固定される突起９ｃ，９ｃが突設されている。ここで、図９（ａ）に示すようにカバー３の前壁裏面には、扉付勢ばね１０の他端側の前側部を受けるばね受け台３ａが突設されるとともに、扉部材９の上端部と当接して扉部材９の閉方向への移動を規制する扉固定片（扉固定部）３ｂ，３ｂが突設されている。
【００３４】
而して、図９（ｃ）に示すようにカバー３内に、扉付勢ばね１０，１０の他端側をばね受け台３ａ，３ａに当接させるとともに、扉部材９の上側部を扉固定片３ｂ，３ｂに当接するようにして、扉部材９および扉付勢ばね１０，１０を配置すると、扉部材９が扉付勢ばね１０，１０のばね力によって扉固定片３ｂ，３ｂに押し付けられるので、扉部材９及び扉付勢ばね１０，１０をカバー３に仮保持させることができる。また図１、図２及び図４に示すように、ボディ２の仕切り壁６の上面には扉付勢ばね１０，１０の他端側の後側部を受けるばね受け台６ａ，６ａが形成されており、組立完了状態においてはばね受け台３ａ，６ａの間に扉付勢ばね１０の他端側が保持され、扉付勢ばね１０，１０によって扉部材９が閉方向に弾性付勢されている。また各翼片９ａは閉位置において栓刃挿入口４ａに臨む部位に傾斜面９ｄが形成されており、図４（ｂ）（ｃ）に示すように栓刃挿入口４ａに挿入されたプラグ１００の栓刃１０１が傾斜面９ｄを押すことによって、栓刃１０１の挿入方向と直交する方向に扉部材９をスライドさせる力が発生し、扉付勢ばね１０のばね力に抗して扉部材９が開方向にスライド移動するようになっている。この扉部材９は、２個１組の栓刃挿入口４ａ，４ａを同時に開閉するので、各栓刃挿入口４ａ毎に１個ずつ扉部材を設ける場合に比べて部品点数を少なくできるという利点がある。
【００３５】
なお本実施形態のコンセントＡは接地極付きのため、器具本体１の左右方向中央部に接地極用の刃受部材７ｂを収納するスペースを確保する必要があり、扉部材９の左右両側に扉付勢ばね１０，１０を配置することで、扉付勢ばね１０，１０のばね力をバランス良く扉部材９に印加しているが、接地極のないコンセントの場合には中央部のスペースが空くので、図８（ｂ）に示すように扉部材９の左右方向中央部に突起９ｃを設けて、この突起９ｃに扉付勢ばね１０の一端側を保持させることで、１つの扉付勢ばね１０のみで扉部材９を付勢するようにしても良い。
【００３６】
また器具本体１の内部には、検出電極用挿通孔５から外側に突出する位置と内側に後退する位置との間で進退自在に配置された検出電極１１が収納されている。検出電極１１は導電材料により細長の矩形板状に形成され、長手方向の一端側にコイルばね１５の一端側が圧入固定されている。ボディ２の底壁には検出電極用挿通孔５の後方位置に柱状の圧入突起１６が突設されており、この圧入突起１６にコイルばね１５の他端を圧入固定することで、検出電極１１がコイルばね１５を介してボディ２に取着されている。ここで、図５（ａ）に示すように検出電極１１の一端側は幅方向の両側縁にテーパ１１ａ，１１ａを形成することで楔状にしてあり、先端が先細りとなっているので、コイルばね１５の圧入作業を容易に行うことができる。また検出電極１１の幅方向両側縁には、テーパ１１ａよりも前面側（図５中の上側）の部位に切欠１１ｂ，１１ｂが形成されているので、図５（ｂ）に示すように検出電極１１をコイルばね１５に圧入した際にコイルばね１５の線材が切欠１１ｂに嵌り込むことで、検出電極１１の抜けを防止することができる。また、図６（ｂ）に示すように圧入突起１６の周面には、軸方向に沿って延びる突出部１６ａが突設されており、突出部１６ａの上端部（コイルばね１５の挿入方向手前側）には案内用の傾斜面１６ｂが形成されている。而して、コイルばね１５の他端側を圧入突起１６に圧入する際には突出部１６ａが圧入代となって、コイルばね１５と圧入突起１６との結合を強固にでき、しかも突出部１６ａの上端部には傾斜面１６ｂが設けてあるので、コイルばね１５の圧入を容易に行うことができる。尚、検出電極１１は図示しないリード線や導電板を介してトラッキングの検出手段（漏洩検出部１２など）に電気的に接続されている。
【００３７】
ここで、検出電極１１は扉部材９の開閉動作に応じて検出電極用挿通孔５から進退するようになっており、図２（ｂ）に示すように扉部材９が閉位置に移動した状態では、傾斜面９ｄ，９ｄによって栓刃挿入口４ａ，４ａが閉塞されるとともに、連結部９ｂが栓刃挿入口４ａ，４ａの間に開口する検出電極用挿通孔５よりも上側（図２（ｂ）の右側）まで移動するので、連結部９ｂによって検出電極１１が上側に押圧される。検出電極１１を支持するコイルばね１５のばね荷重は、２本の扉付勢ばね１０，１０のばね荷重よりも小さくなるようにばね定数が設定されており、扉部材９が閉位置に移動した状態では連結部９ｂが検出電極１１を押圧する力でコイルばね１５が湾曲させられて、検出電極１１が倒れることにより、図２（ａ）に示すように検出電極１１が検出電極用挿通孔５の内側に後退する。而して、プラグ１００を接続していない状態では検出電極１１が検出電極用挿通孔５の内側に後退しているので、検出電極１１に人体等が接触することはなく、使用者に安心感を与えることができ、また検出電極１１が汚れたり破損するのを防止できる。また、カバー３の前壁裏側には、検出電極用挿通孔５の左右両側縁にカバー３の前面と略直交する方向に突出する矩形板状のガイド壁１７，１７が突設されているので、検出電極１１が検出電極用挿通孔５の内側に退避した状態では、ガイド壁１７，１７の間に検出電極１１が配置されることによって、検出電極１１が進退方向と交差する方向に倒れて、検出電極用挿通孔５から外れるのを防止でき、検出電極１１の進退動作を安定させることができる。
【００３８】
一方、プラグ１００の栓刃１０１が栓刃挿入口４ａに挿入され、栓刃１０１が扉部材９の傾斜面９ｄを押圧することによって、扉部材９が閉位置から開位置へスライド移動させられると、図１（ａ）に示すように連結部９ｂが検出電極用挿通孔５よりも下側に移動し、栓刃挿入口４ａを完全に開放させるとともに、連結部９ｂが検出電極１１を押圧する力が無くなり、コイルばね１５のばね復帰力によって検出電極１１が直線状に起立した状態となる。この時、検出電極１１が検出電極用挿通孔５の外側に突出し、コイルばね１５のばね力によってプラグ１００の先端面において一対の栓刃１０１の間の部位に弾接する。而して、プラグ１００を接続した状態でプラグ１００の先端面に付着した埃などによってトラッキング現象が発生し、栓刃１０１と検出電極１１との間に電流が流れると、漏洩検出部１２がこの時に流れる電流を検出して、接点１３を開極させることで、刃受部材７ａ，７ａへの給電を停止させることができ、トラッキング現象を確実に検出することで安全性を向上させることができる。
【００３９】
その後、コンセントＡからプラグ１００を抜き取ると、栓刃１０１が扉部材９の傾斜面９ｄを押圧する力が無くなり、扉部材９が扉付勢ばね１０のばね力を受けて開位置から閉位置へスライド移動するので、扉部材９によって栓刃挿入口４ａが閉塞される。この時、扉部材９により検出電極１１が押圧されて、コイルばね１５が湾曲することにより、検出電極１１が検出電極用挿通孔５の内側に退避した状態となる。このように本実施形態では、扉部材９の開閉動作に応じてコイルばね１５を湾曲又は直立させることで、検出電極１１を検出電極用挿通孔５の内部に退避させる状態と、検出電極用挿通孔５の外側に突出させる状態とを切り換えることができ、検出電極１１を前後方向において進退させる場合に比べて、器具本体１の前後方向の寸法を小さくすることができる。
【００４０】
ところで、図９および図１０に示すようにカバー３の前壁裏側には、閉位置にある扉部材９が一方の栓刃挿入口４ａから挿入された栓刃１０１で押圧され、他方の栓刃挿入口４ａに臨む扉部材９の部位がカバー３の前壁裏側に接近するように傾斜した状態で、カバー３の前壁裏側に接近した扉部材９の部位と係止して扉部材９の開方向への移動を規制する移動規制突起３ｃが、閉位置にある扉部材９に対して開方向寄りに突設されている。したがって、図１０（ｂ）に示すようにいたずら等で片方（図中左側）の栓刃挿入口４ａのみに挿入された物体によって扉部材９が押圧された場合には、扉部材９が傾斜して、押圧された側と反対側（図中右側）の翼片９ａが移動規制突起３ｃに係止することで、扉部材９が開方向に移動するのを規制でき、いたずら等によって扉部材９が開けられるのを防止して、安全性を向上させることができる。
【００４１】
尚、本実施形態では漏電遮断機能を有するコンセントを例に説明を行ったが、漏電遮断機能を持たない一般的なコンセントに適用しても良い。
【００４２】
（実施形態２）
本発明の実施形態２を図１２〜図１９に基づいて説明する。上述した実施形態１では検出電極１１をコイルばね１５を介してボディ２に取り付けているのに対して、本実施形態では検出電極１１をコイルばね１５を介して扉部材９に取り付けてある。尚、検出電極１１および扉部材９以外の構成は実施形態１と同様であるので、共通する構成要素には同一の符号を付して、その説明は省略する。
【００４３】
扉部材９は、図１４および図１６に示すように、側面視Ｌ字状の脚片９ｅと、脚片９ｅの前側縁から左右両側に張り出す翼片９ａ，９ａとを備え、ボディ２の中央部に設けた収納凹部１８内に、上下方向においてスライド自在に収納されている。左右の翼片９ａ，９ａには、それぞれ、コイルばねからなる扉付勢ばね１０の一端側が圧入固定される突起９ｃ，９ｃが突設されている。また各翼片９ａには、閉位置において栓刃挿入口４ａに臨む部位に傾斜面９ｄが形成されており、左右の翼片９ａ，９ａの間には検出電極１１を逃がすための逃がし溝１９が形成されている。
【００４４】
また、脚片９ｅの横棒部分にはコイルばね１５の一端側が圧入固定される円柱状の圧入突起２０が突設され、圧入突起２０の周面には軸方向に沿って伸びる突出部２０ａが突設されている。而して、コイルばね１５の他端側を圧入突起２０に圧入する際には、突出部２０ａが圧入代となって、コイルばね１５と圧入突起２０との結合を強固に行うことができる。
【００４５】
上述のように本実施形態では扉部材９の脚片９ｅに設けた圧入突起２０にコイルばね１５の一端側を取着するとともに、コイルばね１５の他端側に検出電極１１を圧入固定してあり、検出電極１１がコイルばね１５を介して扉部材９に取り付けられている。尚、検出電極１１は、図１６（ｃ）に示すようにリード線１０２や導電板を介してトラッキングの検出手段（漏洩検出部１２など）に電気的に接続されている。
【００４６】
一方、ボディ２には扉部材９に取着された扉付勢ばね１０，１０の他端側を受けるばね受け台２４，２４が形成されており、扉付勢ばね１０，１０が取着された扉部材９を収納凹部１８内に挿入すると、扉付勢ばね１０，１０のばね力によって扉部材９が収納凹部１８の端面に押し付けられることで、扉部材９および扉付勢ばね１０，１０をボディ２に仮保持させることができる。
【００４７】
ここで、検出電極１１は扉部材９の開閉動作に応じて検出電極用挿通孔５から進退するようになっており、図１３（ａ）（ｂ）に示すように扉部材９が閉位置に移動した状態では、翼片９ａの傾斜面９ｄによって栓刃挿入口４ａが閉塞されるとともに、脚片９ｅに固定されたコイルばね１５の一端側と検出電極用挿通孔５との相対的な位置関係が変化し、検出電極１１が検出電極用挿通孔５の孔縁に押圧される。検出電極１１を支持するコイルばね１５のばね荷重は、２本の扉付勢ばね１０，１０のばね荷重よりも小さくなるようにばね定数が設定されており、扉部材９が閉位置に移動した状態では検出電極用挿通孔５の孔縁が検出電極１１を押圧する力でコイルばね１５が湾曲させられて、検出電極１１が倒れることにより、検出電極１１が検出電極用挿通孔５の内側に退避した状態となる。而して、プラグ１００を接続していない状態では検出電極１１が検出電極用挿通孔５の内側に後退しているので、検出電極１１に人体等が接触することはなく、使用者に安心感を与えることができ、また検出電極１１が汚れたり破損するのを防止できる。
【００４８】
なお、扉部材９には両翼片９ａ，９ａの間に逃がし溝１９を形成してあり、検出電極用挿通孔５の孔縁に押圧されて倒された検出電極１１が逃がし溝１９内に入り込むことで、扉部材９との干渉を防止し、検出電極１１の進退動作をスムーズに行わせることができる。また、検出電極用挿通孔５の孔縁には、図１３（ｂ）および図１７に示すように検出電極用挿通孔５に近付くほど、カバー３の前壁裏側からの突出量が小さくなるように傾斜する傾斜面２２が形成されているので、扉部材９の閉方向への移動に伴って接近してきた検出電極１１が傾斜面２２に当接して、検出電極１１が倒れやすくなり、検出電極１１の進退動作をスムーズに行わせることができる。また、カバー３の前壁裏側には、検出電極用挿通孔５の左右両側縁にカバー３の前面と略直交する方向に突出する矩形板状のガイド壁２３，２３が突設されているので、検出電極１１が検出電極用挿通孔５の内側に退避した状態では、ガイド壁２３，２３の間に検出電極１１が配置されることによって、検出電極１１が進退方向と交差する方向に倒れて、検出電極用挿通孔５から外れるのを防止でき、検出電極１１の進退動作を安定させることができる。
【００４９】
一方、プラグ１００の栓刃１０１が栓刃挿入口４ａに挿入され、栓刃１０１が扉部材９の傾斜面９ｄを押圧することによって、扉部材９が閉位置から開位置へスライド移動させられると、図１２（ａ）（ｂ）に示すように脚片９ｅに設けた圧入突起２０が検出電極用挿通孔５に臨む位置（図１２（ｂ）中の下側位置）に移動するので、検出電極１１が検出電極用挿通孔５の孔縁から離れ、コイルばね１５のばね復帰力によって検出電極１１が起立した状態となる。この時、検出電極１１が検出電極用挿通孔５の外側に突出し、コイルばね１５のばね力によってプラグ１００の栓刃１０１，１０１間の部位に弾接する。而して、プラグ１００を接続した状態でプラグ１００の先端面に付着した埃などによってトラッキング現象が発生し、栓刃１０１と検出電極１１との間に電流が流れると、漏洩検出部１２がこの時に流れる電流を検出して、接点１３を開極させることで、刃受部材７ａ，７ａへの給電を停止させることができ、トラッキング現象を確実に検出することで安全性を向上させることができる。
【００５０】
その後、コンセントＡからプラグ１００を抜き取ると、栓刃１０１が扉部材９の傾斜面９ｄを押圧する力が無くなり、扉部材９が扉付勢ばね１０のばね力を受けて開位置から閉位置へスライド移動するので、扉部材９によって栓刃挿入口４ａが閉塞される。この時、扉部材９のスライド移動に伴って検出電極１１が検出電極用挿通孔５の孔縁に押圧され、コイルばね１５が湾曲することにより、検出電極１１が検出電極用挿通孔５の内側に退避した状態となる。このように本実施形態では、扉部材９の開閉動作に応じてコイルばね１５を湾曲又は直立させることで、検出電極１１を検出電極用挿通孔５の内部に退避させる状態と、検出電極用挿通孔５の外側に突出させる状態とを切り換えることができ、検出電極１１を前後方向において進退させる場合に比べて、器具本体１の前後方向の寸法を小さくすることができる。
【００５１】
ところで本実施形態では、ボディ２の収納凹部１８の底面には、扉部材９のスライド方向（上下方向）に沿って突条１８ａが形成されており、突条１８ａに脚片９ｅの底面が当接することによって、扉部材９と収納凹部１８の底面との接触面積を少なくして、扉部材９のスライド移動をスムーズに行えるようにしている。また、図１９（ａ）（ｂ）に示すように扉部材９の各翼片９ａに、ボディ２の隔壁上に載置されて隔壁上をスライド移動するためのスライド突起２５を設けても良く、両翼片９ａのスライド突起２５がボディ２の隔壁に当接してスライド移動することで、扉部材９を傾斜することなくスライド移動させることができる。
【００５２】
また脚片９ｅの底面には、左右方向の中央部が両側部よりも後方に突出するように傾斜する傾斜面９ｆ，９ｆが形成されているので、扉部材９が脚片９ｅの後側端を揺動中心として容易に傾斜するようになっている。ここで、図１９（ｃ）に示すように、片側（図中左側）の栓刃挿入口４ａのみに栓刃１０１が挿入された場合、栓刃１０１で押された側と反対側の翼片９ａがカバー３の前壁裏側に接近するように扉部材９が傾斜するので、反対側の翼片９ａがカバー３の前壁裏側に設けた移動規制突起３ｃに係止することで、扉部材９の開方向への移動を規制することができ、いたずら等によって扉部材９が開けられるのを防止して、安全性を向上させることができる。
【００５３】
また扉部材９の翼片９ａ，９ａは、傾斜面９ｄ，９ｄの一端側で脚片９ｅと連結されており、図１８（ａ）に示すようにプラグ１００の栓刃１０１により押圧される位置が、脚片９ｅの横棒部分が突出する側と反対側に偏っているため、栓刃１０１から荷重を加えると、図１８（ｂ）に示すように扉部材９が図中左側に倒れ、栓刃１０１の挿入方向に対する傾斜面９ｄの傾斜角度が浅くなって、扉部材９をスライド移動させる力が発生しにくくなる。そこで、本実施形態では、側面視Ｌ字形の脚片９ｅの曲がり部から翼片９ａと同じ方向に突出する補助脚２１を一体に設けてあり、補助脚２１が扉部材９の倒れを防止することで、扉部材９のスライド移動をスムーズにすることができる。
【００５４】
なお、本発明の精神と範囲に反することなしに、広範に異なる実施形態を構成することができることは明白なので、この発明は、特定の実施形態に制約されるものではない。
【図面の簡単な説明】
【００５５】
【図１】実施形態１のコンセントにプラグを接続した状態を示し、（ａ）は外観斜視図、（ｂ）はカバーを外した状態の要部斜視図である。
【図２】同上にプラグが接続されていない状態を示し、（ａ）は外観斜視図、（ｂ）はカバーを外した状態の要部斜視図である。
【図３】同上の分解斜視図である。
【図４】（ａ）〜（ｃ）は同上に用いる扉部材の開閉動作を示す要部断面図である。
【図５】（ａ）は同上に用いる検出電極の説明図、（ｂ）は検出電極にコイルばねを装着した状態の説明図である。
【図６】（ａ）は同上に用いるボディの説明図、（ｂ）はＣ部拡大図である。
【図７】同上に用いるボディに検出電極を組み込んだ状態の説明図である。
【図８】（ａ）（ｂ）は同上に用いる扉部材の説明図である。
【図９】（ａ）は同上に用いるカバーの斜視図、（ｂ）はＤ部拡大図、（ｃ）はカバーに扉部材および扉付勢ばねを仮保持させた状態の説明図である。
【図１０】（ａ）（ｂ）は同上に用いる扉部材の開閉動作を示す要部断面図である。
【図１１】同上の内部回路図である。
【図１２】（ａ）（ｂ）は実施形態２のコンセントにプラグを接続した状態の要部断面図である。
【図１３】（ａ）（ｂ）は同上にプラグが接続されていない状態の要部断面図である。
【図１４】同上の分解斜視図である。
【図１５】（ａ）は同上に用いるボディの斜視図、（ｂ）はボディに扉部材および検出電極を組み込んだ状態の斜視図である。
【図１６】（ａ）（ｂ）は同上に用いる扉部材の説明図、（ｃ）は扉部材に検出電極を取り付けた状態の説明図である。
【図１７】（ａ）は同上に用いるカバーを後方から見た斜視図、（ｂ）はＥ部拡大図である。
【図１８】（ａ）〜（ｃ）は同上に用いる扉部材の説明図である。
【図１９】（ａ）（ｂ）は同上に用いる扉部材の開閉動作を示す説明図である。
【符号の説明】
【００５６】
１  器具本体
２  ボディ
３  カバー
４ａ  栓刃挿入口
５  検出電極用挿通孔
７ａ  刃受部材
９  扉部材
１０  扉付勢ばね
１１  検出電極
１２  漏電検出部（トラッキング検出手段）
１３  接点（遮断手段）
１５  コイルばね
【図１】
2008159478.tif 000003
【図２】
2008159478.tif 000004
【図３】
2008159478.tif 000005
【図４】
2008159478.tif 000006
【図５】
2008159478.tif 000007
【図６】
2008159478.tif 000008
【図７】
2008159478.tif 000009
【図８】
2008159478.tif 000010
【図９】
2008159478.tif 000011
【図１０】
2008159478.tif 000012
【図１１】
2008159478.tif 000013
【図１２】
2008159478.tif 000014
【図１３】
2008159478.tif 000015
【図１４】
2008159478.tif 000016
【図１５】
2008159478.tif 000017
【図１６】
2008159478.tif 000018
【図１７】
2008159478.tif 000019
【図１８】
2008159478.tif 000020
【図１９】
2008159478.tif 000021